(57)【特許請求の範囲】
【請求項１】
モータを備えた電動過給機であって、前記モータは、複数の巻線対を備える固定子組立体を含み、各巻線対は、第１の極を形成するための第１の巻線および第２の反対の極を形成するための第２の巻線を備え、各巻線は、入力終端および出力終端を有する電動過給機において、
各巻線対の前記終端は、前記第１の巻線および前記第２の巻線の前記入力終端が互いに隣接して位置するように、かつ前記第１の巻線および前記第２の巻線の前記出力終端が互いに隣接して位置するように配置されることを特徴とする、
電動過給機。
【請求項２】
前記第１の巻線および前記第２の巻線が、互いに対向して配置されている、請求項１に記載の電動過給機。
【請求項３】
各巻線対の２つの終端対が、互いに隣接して配置されている、請求項１または２に記載の電動過給機。
【請求項４】
前記第１の巻線および前記第２の巻線の前記入力終端が、互いに直接的に隣接し、前記第１の巻線および前記第２の巻線の前記出力終端が、互いに直接的に隣接する、請求項１から３のいずれか一項に記載の電動過給機。
【請求項５】
前記第１の巻線および前記第２の巻線の前記入力終端が、一緒に電気接続され、前記第１の巻線および前記第２の巻線の前記出力終端が、一緒に電気接続される、請求項４に記載の電動過給機。
【請求項６】
前記モータが、スイッチトリラクタンスモータ（ＳＲＭ）であり、前記モータが、前記固定子組立体内の前記巻線対の各々を選択的に通電するための制御モジュールを含む、請求項１から５のいずれか一項に記載の電動過給機。
【請求項７】
前記制御モジュールが、複数の電力モジュールを備え、各電力モジュールが、前記巻線対のうちの１つに電力を供給するように構成される、請求項６に記載の電動過給機。
【請求項８】
各対の前記第１の巻線および前記第２の巻線が互いに直径方向に対向した状態で、前記巻線が円状に配置される、請求項１から７のいずれか一項に記載の電動過給機。
【請求項９】
各巻線の前記入力終端および前記出力終端が、それぞれに対応する、前記巻線に至る入力ワイヤおよび前記巻線からの出力ワイヤの端部上にあり、各巻線の前記入力ワイヤおよび前記出力ワイヤが、実質的に円周方向に延在し、したがって前記終端が、そのそれぞれに対応する巻線から円周方向に離れている、請求項８に記載の電動過給機。
【請求項１０】
前記終端が前記巻線の径方向内側に位置決めされる、請求項８または９に記載の電動過給機。
【請求項１１】
電動過給機で使用する固定子組立体であって、前記固定子組立体は、複数の巻線対を備え、各巻線対は、第１の極を形成するための第１の巻線、および第２の反対の極を形成するための第２の巻線を備え、各巻線は、入力終端および出力終端を有する、固定子組立体において、
各巻線対の前記終端は、前記第１の巻線および前記第２の巻線の前記入力終端が互いに隣接して位置するように、かつ前記第１の巻線および前記第２の巻線の前記出力終端が互いに隣接して位置するように配置されることを特徴とする、
固定子組立体。
【発明の詳細な説明】
【技術分野】
【０００１】
本発明は、電動過給機、特に固定子組立体を有するモータを備えた電動過給機に関する。
【背景技術】
【０００２】
図１ａおよび図１ｂは、本発明が開発される基となった、電動過給機用の固定子組立体を示す。電動過給機（図示せず）は、スイッチトリラクタンスモータを備える。モータの固定子組立体１は、３対（各対が、反対の極を形成するための、互いに対向する２つの巻線３Ａ、３Ｂ、３Ｃを備える）で構成される６つの巻線３を有する。各巻線３は、金属磁心に巻き付けられたワイヤのコイルである。各巻線３は、入力終端５およびそれに対応する出力終端７を有する。これらの終端は、通電電源（図１ａには図示せず）に接続可能である。図１ａおよび図１ｂの固定子組立体では、終端５、７が、それぞれに対応する各巻線３の真上に延びている。したがって、終端５、７は、（入力終端５と出力終端７がそれぞれに対応する各巻線３の上方で連続する対をなす、１２個の終端から形成される）リングの形で配列される。
【０００３】
巻線の通電を制御するために、固定子組立体は、制御モジュール（全体的に符号９で表し、図１ｂに示す）を備える。制御モジュール９は、巻線３を通電する順序を決定および制御するためのマイクロプロセッサ（図示せず）と、巻線対３Ａ、３Ｂ、３Ｃのうちの１つに電力を供給するようにそれぞれが構成された、３つの電力制御モジュール１１Ａ、１１Ｂ、１１Ｃと、各巻線対３Ａ、３Ｂ、３Ｃをそれぞれに対応する電力制御モジュール１１Ａ、１１Ｂ、１１Ｃに接続するためのトラッキング（ｔｒａｃｋｉｎｇ：導電部）１３とを含む。見やすいように、図１ｂには、（電力制御モジュール１１Ａ〜Ｃが３つ全てあることを除き）１つの巻線対３Ｂに関係する要素のみが示してある。
【０００４】
トラッキング１３（図１ｂに簡単な形でしか示していない）は、互いに積層された３つのＰＣＢ層から形成され、各層がそれぞれに対応する巻線対３Ａ〜Ｃに対応する。各層は、巻線対の入力終端５同士を一緒に接続する第１のトラック（ｔｒａｃｋ：導電路）１５と、同じ巻線対の出力終端７同士を一緒に接続する第２のトラック１７と、それぞれに対応する電力モジュール１１Ａ〜ＣのＩ／Ｏ端子を第１のトラック１５および第２のトラック１７と連結する付加トラック１９とを有する。
【０００５】
そのようなトラッキング構成は複雑であり、したがって、制御モジュールのコストがかかる可能性がある。さらに、トラッキングを層状にする結果、ＰＣＢが複数層となり、したがって制御モジュールが比較的厚くなり、これは、コスト面および／またはＰＣＢと過給機の周囲構成要素との相互作用の面から、望ましくない場合がある。
【発明の概要】
【発明が解決しようとする課題】
【０００６】
本発明は、上述した欠点のうち少なくとも一部をなくし、または軽減しようとするものである。
【課題を解決するための手段】
【０００７】
本発明の第１の態様によれば、モータを備えた電動過給機であって、モータは、複数の巻線対を備える固定子組立体を含み、各巻線対は、第１の極を形成するための第１の巻線および第２の反対の極を形成するための第２の巻線を備え、各巻線は、入力終端および出力終端を有する電動過給機において、各巻線対の終端は、第１の巻線および第２の巻線の入力終端が互いに隣接して位置するように、かつ第１の巻線および第２の巻線の出力終端が互いに隣接して位置するように配置されることを特徴とする、電動過給機が提供される。第１の巻線および第２の巻線の入力終端を互いに隣接して、かつ第１の巻線および第２の巻線の出力終端を互いに隣接して配置することによって、トラッキングの複雑な層の必要性をなくすことができる。本発明により、実際に、巻線から延在するワイヤでトラッキングを置き換えることができ、それによって、改善された解決策を提供できることが分かっている。
【０００８】
入力終端は、そこを通って電流が巻線に流れ込むように構成された終端である。出力終端は、そこを通って電流が巻線から流れ出すように構成された終端である。例えば、入力終端から出力終端への電圧降下があり得る。
【０００９】
第１の極は、例えば、Ｓ極でよく、第２の極はＮ極（またはその逆）でよい。各巻線によって形成される極は、巻線の方向および／または巻線を通って電流が流れる方向によって変わることが理解されよう。
【００１０】
原則として、第１の巻線および第２の巻線は、任意数の異なる相対位置にあってよい。しかし、本発明のより好ましい実施形態では、第１の巻線および第２の巻線は、互いに対向する位置にある。
【００１１】
各巻線対の２つの終端対は、（例えば、固定子組立体の対向する任意の位置で）互いに離れていてよい。しかし、より好ましくは、各巻線対の２つの終端対は、互いに隣接する位置にある。そのような配置にすると、終端対の一方または両方に到達するための過度のトラッキングまたは他の電気コネクタを必要とせずに、（たとえば電力モジュールによって）巻線対の入力終端と出力終端の両方に直接的に電気接続することが容易となり得る。各巻線対の２つの終端対は、ある程度間隔をあけたまま隣接してよいことが理解されよう。各巻線対の２つの終端対は、好ましくは、固定子組立体の周りに連続して配置される。例えば、固定子組立体を回って移動すると、第１の巻線対の入力終端対および出力終端対に遭遇することができ、次いで、第２の巻線対の入力終端対および出力終端対に遭遇することができ、複数ある巻線対の残りの任意の巻線対についても同様である。各巻線対の２つの終端対は、好ましくは、円周方向にオーバーラップしない。終端対は、それが対応する巻線対から離れていてよい。
【００１２】
第１の巻線および第２の巻線の各終端対の終端は、互いに隣接する。これらの終端は、ある程度離間していても隣接するものであることが理解されよう。しかし、本発明のいくつかの実施形態において、（第１の巻線及び第２の巻線の各終端対の）終端が互いに直接的に隣接しているように、各終端対の終端間に実質的に隙間がなくてもよい。第１の巻線および第２の巻線の各終端対の終端は、電気的に短絡させることができる。したがって、第１の巻線および第２の巻線は、好ましくは並列接続される。各終端対の終端は、終端同士が一緒に配線接続されることによって短絡させることができるが、より好ましくは、終端は、（例えば制御モジュールが過給機内に設置される際に）中間的な電気コネクタで終端対を連結することによって短絡させる。
【００１３】
モータは、リラクタンスモータでよく、好ましくは、可変リラクタンスモータであり、より好ましくは、スイッチトリラクタンスモータ（ＳＲＭ）である。モータは、固定子組立体内の巻線対の各々の通電を制御する(controlling the energising)ための制御モジュールを含むことができる。例えば、制御モジュールは、巻線対を選択的に通電して、変化し、好ましくは回転する、磁界を発生させることができる。制御モジュールは、いつの時点でも２つ以上の巻線対を選択的に通電するように構成することができる。制御モジュールは、複数の電力モジュールを備えることができ、各電力モジュールは、巻線対のうちの１つに給電するように構成される。各巻線対が受け取る信号の波形は、同じでよい。各巻線対が受け取る信号は、少なくとも部分的には、互いに位相がずれていてもよい。
【００１４】
複数の電力モジュールを備える実施形態では、各巻線対の入力終端対および／または出力終端対が、（例えば介在するトラックなしで）単一の接続を介して各終端対を電力モジュールに接続することができるように、互いに隣接してよい。したがって、各巻線対の入力終端および出力終端に、容易にアクセスすることができる。好ましくは、ある電力モジュールとその入力終端および出力終端との間の接続と、別の電力モジュールとそのそれぞれに対応する入力終端および出力終端との間の接続とに、オーバーラップがない。
【００１５】
各巻線は、好ましくは、ワイヤのコイルの形をとる。巻線は、磁心に巻き付けられてよい。
【００１６】
巻線は、好ましくは、円状に配置される。各対の第１の巻線および第２の巻線は、互いに直径方向に対向してよい。各巻線の入力終端および出力終端は、それぞれに対応する、巻線に至る入力ワイヤおよび巻線からの出力ワイヤの端部上にあってよい。各巻線の入力ワイヤおよび出力ワイヤは、実質的に円周方向に延在し、したがって終端は、そのそれぞれに対応する巻線から円周方向に離れていてよい。隣接する終端対内の終端は、好ましくは、円の１０度未満、より好ましくは５度未満の扇形内に位置する。
【００１７】
終端は、好ましくは、巻線の径方向内側に位置決めされる。
【００１８】
固定子組立体は、多数の巻線対を備えてよい。固定子組立体は、３つの巻線対を備えてよい。
【００１９】
本発明の別の態様によれば、電動過給機で使用する固定子組立体であって、固定子組立体は、複数の巻線対を備え、各巻線対は、第１の極を形成するための第１の巻線、および第２の反対の極を形成するための第２の巻線を備え、各巻線は、入力終端および出力終端を有する、固定子組立体において、各巻線対の終端は、第１の巻線および第２の巻線の入力終端が互いに隣接して位置するように、かつ第１の巻線および第２の巻線の出力終端が互いに隣接して位置するように配置されることを特徴とする、固定子組立体が提供される。固定子組立体は、好ましくは、本発明の第１の態様に基づいて本明細書に説明したような電動過給機で使用される。
【００２０】
本発明の別の態様によれば、本発明の第１の態様に基づいて本明細書に説明したような電動過給機と組み合わせた内燃機関が提供される。
【００２１】
本発明の一態様に関して記載した任意の特徴は、本発明の他の任意の態様と同様に適用可能であり、逆も同様である。例えば、本発明の第１の態様の電動過給機に関して記載した任意の特徴は、本発明の第２の態様の固定子組立体に等しく適用可能である。
【００２２】
次に、本発明のさまざまな実施形態について、単なる例として、添付の概略図を参照して説明する。
【図面の簡単な説明】
【００２３】
【図１ａ】本発明が開発される基となった、電動過給機内の固定子組立体の部分分解斜視図である。
【図１ｂ】図１ａの固定子組立体の概略平面図であり、制御モジュールも示す図である。
【図２】本発明の第１の実施形態による固定子組立体の斜視図である。
【図３】図２の固定子組立体内の、（巻線対をなす）第１の巻線および第２の巻線の斜視図である。
【図４】図２の固定子組立体の概略平面図であり、制御モジュールも示す図である。
【図５ａ−ｅ】本発明の第１の実施形態の固定子組立体の構築の仕方を示す斜視図である。
【図６】本発明の第２の実施形態による固定子組立体の図である。
【図７】図６の固定子組立体内の、（巻線対をなす）第１の巻線および第２の巻線の斜視図である。
【発明を実施するための形態】
【００２４】
図１ａおよび図１ｂは、本発明が開発される基となった、電動過給機内の固定子組立体を示す。上で説明したように、固定子組立体は、各巻線対３Ａ、３Ｂ、３Ｃをそれぞれに対応する電力制御モジュール１１Ａ、１１Ｂ、１１Ｃに接続するためのトラッキング１３を含む、制御モジュールを備える。（図１ｂに簡単に示す）トラッキング１３は、互いに積層された３つのＰＣＢ層からなり、各層が巻線対３Ａ〜Ｃに対応する。そのようなトラッキング構成は複雑であり、したがって、固定子組立体のコストが増す可能性がある。さらに、トラッキングを層状にする結果、ＰＣＢが比較的厚くなり、これは、コスト面および／またはＰＣＢと過給機の周囲構成要素との相互作用の面から、望ましくない場合がある。
【００２５】
図２は、本発明の第１の実施形態による固定子組立体１０１を示す。固定子組立体１０１は、円状に配置された６つの巻線１０３を備える。各巻線は、ワイヤのコイルによって形成される。巻線は、金属磁心に巻き付けられている。巻線１０３は、直径方向に対向する巻線対１０３Ａ〜Ｃに分割することができ、対の各巻線１０３は、（図２および図３には示していないが、以下に図４を参照して説明する）制御モジュール１０９によって通電されると、他方に対して反対の極を形成するように構成される。各巻線対内では、ある極を形成するための巻線を淡色ワイヤで表し、反対の極を形成するための巻線を濃色ワイヤで表している。
【００２６】
各巻線は、入力終端１０５および出力終端１０７（入力または出力という呼称は、巻線を巡って電流が流れる方向によって変わる）を有する。図１ａおよび図１ｂの固定子組立体とは対照的に、各巻線の終端（端子とも呼ばれる）は、巻線から離れて配置される。これについては図３に最も明確に示されており、図３は、分離した状態の巻線対１０３Ａを示す。ここで図３を参照すると、対１０３Ａは、（左側の）第１の巻線１０３’および（右側の）第２の巻線１０３’’を備える。第１の巻線１０３’からの終端１０５、１０７が、円の周りに実質的に円周方向に、時計回りの方向に延在し、したがって、入力１０５終端と出力１０７終端がどちらも、巻線１０３’から離れている。第２の巻線１０３’’上の終端も同様に、ただし反時計回りの方向に延在する。したがって、対１０３Ａの第１の巻線１０３’および第２の巻線１０３’’の入力終端１０５が、互いに直接的に隣接する位置にあり、第１の巻線１０３’および第２の巻線１０３’’の出力終端１０７も、互いに直接的に隣接する位置にある。
【００２７】
各巻線対１０３Ａ〜Ｃ内の共通の終端１０５、１０７が互いに直接的に隣接する位置にあるだけでなく、各巻線対の２つの終端対（すなわち、入力終端１０５の対および出力終端１０７の対）も、互いに隣接する位置にある（が、それらは円周方向に離間されているため、互いに直接的に隣接する位置にあるわけではない）。とはいえ、各巻線対１０３Ａ〜Ｃの２つの終端対は十分に隣接しており、それぞれの終端対は固定子組立体の円の周りに連続して位置決めされる（図２を参照）。
【００２８】
終端をこのように配列すると、これから図４を図１ｂと対比させながら参照して説明するように、特に有利となることが分かっている。図４は、第１の実施形態の固定子組立体１０１を、制御モジュール１０９と組み合わせて示す。制御モジュール１０９は、巻線１０３を通電する順序を決定および制御するためのマイクロプロセッサ（図示せず）を備え、巻線対１０３Ａ〜Ｃのうちの１つに電力を供給するようにそれぞれが構成された３つの電力制御モジュール１１１Ａ〜Ｃが配置されている。図１ｂに示す制御モジュールとは対照的に、本発明の第１の実施形態における制御モジュール１０９は、複雑でオーバーラップしているトラッキング構成を備えていない。代わりに、各巻線対１０３Ａ〜Ｃの入力１０５終端同士および出力１０７終端同士が、互いに直接的に隣接して対をなし、それぞれに対応する電力モジュール１１１Ａ〜Ｃの、２つの入力終端１０５および２つの出力終端１０７に至るＩ／Ｏ端子１２１への同時接続を可能にしている。さらに、各巻線対の２つの終端対（すなわち入力終端１０５の対および出力終端１０７の対）が、互いに隣接する位置にあるため、電力モジュール１１１Ａ〜Ｃを、各巻線の両終端対にごく近接して配置し、それによって、長いまたは複雑なトラッキングの必要性をなくすことができる。
【００２９】
図５ａから図５ｅは、異なる組立段階にある固定子組立体を示す。図５ａは、２つの隣接する巻線（対１０３Ａの第１の巻線、および対１０３Ｂの第２の巻線）を示す。各巻線は、ワイヤのコイルによって形成される。巻線は、金属磁心１２７に巻き付けられる。支持構造１２９が、磁心１２７の径方向外側表面に取り付けられる（見やすいように、コイル１２５、磁心１２７、および支持構造１２９は、図５ａに巻線のうちの１つに対してだけ表記してある）。それぞれに対応する巻線が巻き付けられた磁心に取り付けた支持構造同士が、さねはぎ継ぎ構成(tongue and groove arrangement)１２３を用いて互いに接続される（図５ｂを参照）。追加の２組の巻線が同様の方法で一緒に接続され、次いで、６つの巻線からなる円を形成するように配置される（図５ｃおよび図５ｄを参照）。その結果、全ての巻線が一緒に接続される。互いに直径方向に対向する巻線がそれぞれ、巻線対１０３Ａ〜Ｃを画定する。各巻線から延在する入力ワイヤおよび出力ワイヤの端部がそれぞれ、入力終端１０５および出力終端１０７を画定する。これらの終端は、巻線が円状に配置されたときに、各対の巻線の入力終端１０５同士が互いに隣接する位置にあり、かつ各対の巻線の出力終端１０７同士が互いに隣接する位置にあるように配置される。図５ｅに示すように、巻線が一緒に接続された後、各巻線対の２本の入力ワイヤが撚り合わされ、各巻線対の２本の出力ワイヤが撚り合わされる（見やすいように、図２ではワイヤは撚り合わされたものとして示していない）。
【００３０】
本発明の第２の実施形態を図６および図７に示す。第２の実施形態は、ワイヤが巻線から異なる方向に延在し、したがって、終端対が巻線に対して異なるように位置決めされることを除き、第１の実施形態と同じである。
【００３１】
本発明の第２の実施形態の固定子組立体は、３つの巻線対２０３Ａ〜Ｃを備え、各対は、直径方向に対向する巻線から形成される。図７に最もよく示されているように、本発明の第１の実施形態とは対照的に、各巻線２０３からのワイヤは、実質的に反対の円周方向に延在する。各対の第１の巻線および各対の第２の巻線は、互いの鏡像となっており、したがって、各対の入力終端２０５同士が互いに直接的に隣接し、各対の出力終端２０７同士が互いに直接的に隣接する（見やすいように、図６には、単一の巻線対２０３Ｃの２つの終端対だけが示してある）。そのような配置にすると、各終端対の終端を、電力モジュール（図示せず）からの単一のコネクタによって同時接続することが可能になる。
【００３２】
以上、本発明について、特定の実施形態を参照して説明し例示してきたが、本発明は、本明細書に具体的に例示していない多くの異なる変形形態に適していることが、当業者には理解されよう。前述の説明で言及した値(integers)や構成要素に、公知、自明又は予測可能な均等物(equivalents)がある場合、その等価物は、個別に説明しているのと同様に本明細書に組み込まれる。本発明の正確な範囲を決定するには、特許請求の範囲に対し、上記のような均等物のいずれをも包含するよう解釈する論及がなされるべきである。好ましい、有利な、好都合な、などと記載される本発明の値や特徴は、任意選択的なものであり、独立請求項の範囲を限定するものでないことも分かる。
【図１ａ】
0006335195.tif 000002
【図１ｂ】
0006335195.tif 000003
【図２】
0006335195.tif 000004
【図３】
0006335195.tif 000005
【図４】
0006335195.tif 000006
【図５ａ】
0006335195.tif 000007
【図５ｂ】
0006335195.tif 000008
【図５ｃ】
0006335195.tif 000009
【図５ｄ】
0006335195.tif 000010
【図５ｅ】
0006335195.tif 000011
【図６】
0006335195.tif 000012
【図７】
0006335195.tif 000013